(57)【要約】【課題】筒状をなし伸縮性を有するとともに、汗の吸収性の高い腹巻きを提供する。【解決手段】地糸２５によって形成された面状のベース２０と、パイル糸３５によって形成されたパイル３０とを有するタオル地によって形成された腹巻き１０であって、筒状をなし、地糸２５のうち少なくとも腹巻き１０の周方向に延びる地緯糸２５ａが伸縮性を有する素材であるスパンデックスによって形成され、パイル糸３５が綿素材によって形成されている。【選択図】図２
0003207179.tif 000002
【実用新案登録請求の範囲】
【請求項１】
地糸によって形成された面状のベースと、パイル糸によって形成されたパイルとを有するタオル地によって形成された腹巻きであって、
筒状をなし、
前記地糸のうち少なくとも当該腹巻きの周方向に延びるのものが伸縮性を有する素材によって形成され、
前記パイル糸が綿素材によって形成されている、
腹巻き。
【請求項２】
請求項１に記載の腹巻きであって、
前記伸縮性を有する素材がスパンデックスである、
腹巻き。
【考案の詳細な説明】
【技術分野】
【０００１】
本考案は、腹巻きに関するものである。
【背景技術】
【０００２】
幼児や子供等の腹部が冷えることを防止するために、腹巻きが使用されることがある。
伝統的な腹巻きは、晒木綿の布によって形成されているが、筒状に編まれた毛糸によって形成されたものもある。
【０００３】
腹巻きとしては、単なる一枚布状のものよりも筒状のものの方が使用しやすいが、その場合には伸縮性が必要である。
また、腹巻きとしては、本来的に、保温性を有することが必須である。しかしながら、保温されることによって使用者が汗をかいた場合に、その汗がそのまま使用者の腹部に接触していると、それによって使用者の腹部が冷えることとなり、腹巻きの本来の目的と逆行することとなる。
また、特に素肌に直接的に着用する場合には、爽やかな肌触りがあることが望ましい。
【０００４】
なお、本考案に関連する先行技術として、特許文献１に記載されているものがある。
【先行技術文献】
【特許文献】
【０００５】
【特許文献１】特開２００９−０９１７１２号公報
【考案の概要】
【考案が解決しようとする課題】
【０００６】
本考案は、筒状をなし伸縮性を有するとともに、汗の吸収性が高く、肌触りの点でも優れた腹巻きを提供することを課題とする。
【課題を解決するための手段】
【０００７】
この課題を解決するために、請求項１に係る考案は、地糸によって形成された面状のベースと、パイル糸によって形成されたパイルとを有するタオル地によって形成された腹巻きであって、筒状をなし、前記地糸のうち少なくとも当該腹巻きの周方向に延びるのものが伸縮性を有する素材によって形成され、前記パイル糸が綿素材によって形成されている、腹巻きである。
【０００８】
この考案の腹巻きでは、筒状をなしているとともに、少なくとも当該腹巻きの周方向に延びる地糸が伸縮性を有する素材によって形成されているため、この腹巻きは、その周方向に伸縮可能である。このため、この腹巻きは容易に着用することができる。
また、この考案の腹巻きでは、パイルを有するタオル地によって形成されているため、素肌に直接的に着用した場合でも、爽やかな肌触りが得られる。
それとともに、この考案の腹巻きでは、パイルを形成するパイル糸が綿素材によって形成されているため、吸水性（汗の吸収性）が高い。
【０００９】
なお、「綿素材」とは、１００％の綿（めん）に限らず、綿を主体として他の材質の繊維が含まれるものも含むものである。
【００１０】
請求項２に係る考案は、請求項１に係る考案の腹巻きであって、前記伸縮性を有する素材がスパンデックスである、腹巻きである。
【００１１】
この考案の腹巻きでは、請求項１に係る考案の腹巻きの作用効果に加えて、次の作用効果が得られる。
すなわち、この考案の腹巻きでは、伸縮性を有する素材がスパンデックス（ポリウレタン弾性繊維）であるため、周方向に十分な伸縮性が得られ、請求項１に係る考案の作用効果が確実に得られる。
【図面の簡単な説明】
【００１２】
【図１】本考案の一実施例の腹巻きを示す斜視図である。
【図２】本考案の一実施例の腹巻きの一部を示す拡大断面図である。
【図３】本考案の一実施例の腹巻きを示す平面図である。（ａ）は、自然状態のものを示し、（ｂ）は、周方向に延びた状態のものを示す。
【考案を実施するための形態】
【００１３】
次に、本考案の一実施例について、図面に基づいて説明する。
図１に示すように、この腹巻き１０は、タオル地によって形成されており、筒状をしている。すなわち、帯状のタオル地の両端部が結合されて形成されている。
【００１４】
図２に示すように、この腹巻き１０（タオル地）は、面状のベース２０とパイル３０を有している。
【００１５】
ベース２０は、地糸２５によって形成されている。地糸２５には、地緯糸２５ａと地経糸２５ｂがある。地緯糸２５ａ及び地経糸２５ｂのうち、一方（例えば、地緯糸２５ａ）が腹巻き１０の周方向に全体として対応し、他方（例えば、地経糸２５ｂ）が腹巻き１０の高さ方向に対応している。
地糸２５（地緯糸２５ａ及び地経糸２５ｂ）のうちの少なくとも腹巻き１０の周方向に対応するもの（例えば、地経糸２５ｂ）は、スパンデックス（ウレタン弾性繊維）によって形成されており、伸縮可能である。
こうして、図３に示すように、腹巻き１０は、その周方向に伸縮可能であり、ひいては、腹巻き１０の径が拡縮可能である。
なお、自然状態における腹巻き１０（図３（ａ））の周方向の長さは、使用者の腹部の周寸法よりも若干短いものである。
【００１６】
パイル３０は、ベース２０の両面又は片面に形成されている（図２には、両面に形成された態様が示されている）。パイル３０は、ベース２０から多数のループが突出した態様を有している。
パイル３０は、パイル糸３５によって形成されている。パイル糸３５は、綿素材によって形成されている。
【００１７】
次に、この腹巻き１０の使用方法及び作用効果について説明する。
この腹巻き１０は、使用者の腹部に対して、その腹部を一巡するように取り付けられる。このようにして、使用者がこの腹巻き１０を着用する。
【００１８】
その際、この腹巻き１０は、筒状をしているとともに、その周方向に伸縮可能（径が拡縮可能）であるため、次の効果が得られる。
すなわち、この腹巻き１０は、その周方向に伸びる方向に力が加えられて自然状態よりも周方向に伸びた状態（図３（ｂ）参照）で使用者の腹部に位置づけられた後に、その力が解除されて自然状態（図３（ａ））に向かって収縮することによって、使用者の腹部を適度に締め付けつつ、腹部に対して密着する。
こうして、この腹巻き１０は容易にかつ確実に着用することが可能である。
【００１９】
また、図２に基づいて前述したように、この腹巻き１０では、パイル３０を有するタオル地によって形成されているため、素肌に直接的に着用した場合でも、爽やかな肌触りが得られる。
【００２０】
また、同じく図２に基づいて前述したように、この腹巻き１０では、パイル３０（それを形成するパイル糸３５）が綿素材によって形成されているため、吸水性が高い。
このため、この腹巻き１０の使用者が汗をかいた際に、その汗がこの腹巻き１０（パイル３０）に吸収される。こうして、使用者の腹部が冷えることが防止される。
【００２１】
なお、上記のものはあくまで本考案の一実施例にすぎず、当業者の知識に基づき種々の変更を加えた態様で本考案を実施できることはもちろんである。
【００２２】
例えば、地糸２５（地緯糸２５ａ及び地経糸２５ｂ）のうち、腹巻き１０の周方向に対応するもののみでなく、腹巻き１０の周方向に対応するもの及び高さ方向に対応するものの双方とも、スパンデックス（ウレタン弾性繊維）等によって形成され伸縮可能であってもよい。
また、タオル地の構造は、上述のものに限らず、他のものでもよい。パイル３０がベース２０の片面にのみ形成された態様でもよい。
【符号の説明】
【００２３】
１０  腹巻き
２０  ベース
２５  地糸
２５ａ  地緯糸
２５ｂ  地経糸
３０  パイル
３５  パイル糸
【図１】
0003207179.tif 000003
【図２】
0003207179.tif 000004
【図３】
0003207179.tif 000005